(57)【要約】【課題】被吸引物の発生源が横に広がりを有する場合でも、排気風量を多くすることなく、所望の制御風速が得られる排気フードを提供する。【解決手段】排気フード１は排気ダクトに接続される筒形の吸引箱１０を備える。吸引箱１０の側壁の一部は軸方向に沿った帯状の吸引帯１３である。吸引帯１３には長手方向に沿って所定間隔で複数の吸引口１３ｈが形成されている。被吸引物の発生源が横に広がりを有する場合でも、筒形の吸引箱１０に沿って発生源を配置することで、十分な排気が行える。複数の吸引口１３ｈから吸引する構成であるので開口面積を小さくでき、排気風量を多くすることなく、所望の制御風速が得られる。【選択図】図１
2018119767.tif 000002
【特許請求の範囲】
【請求項１】
排気ダクトに接続される筒形の吸引箱を備え、
前記吸引箱の側壁の一部は該吸引箱の軸方向に沿った帯状の吸引帯であり、
前記吸引帯には長手方向に沿って所定間隔で複数の吸引口が形成されている
ことを特徴とする排気フード。
【請求項２】
前記吸引口と同間隔で複数の調節口が形成された風量調節板と、
前記調節口と前記吸引口とが重なるように前記風量調節板を前記吸引帯に接触させるとともに、該風量調節板を該吸引帯に対してスライド可能に保持する保持部材と、を備える
ことを特徴とする請求項１記載の排気フード。
【請求項３】
前記風量調節板は個別にスライド可能な複数の単位板からなる
ことを特徴とする請求項２記載の排気フード。
【請求項４】
前記吸引口および前記調節口が円形である
ことを特徴とする請求項２または３記載の排気フード。
【請求項５】
前記吸引箱を軸が水平となるように支持するとともに、軸回りに回動可能に支持する支持台を備える
ことを特徴とする請求項１、２、３または４記載の排気フード。
【請求項６】
前記吸引箱を軸が水平となるように支持するとともに、高さ調節可能に支持する支持台を備える
ことを特徴とする請求項１、２、３または４記載の排気フード。
【発明の詳細な説明】
【技術分野】
【０００１】
本発明は、排気フードに関する。さらに詳しくは、局所排気装置などに用いられる排気フードに関する。
【背景技術】
【０００２】
水溶液の化学成分の定量分析のために、漏斗を用いて濾過操作を行うことがある。作業効率を高めるために、作業台上に複数の漏斗を一列に並べて、同時に複数の濾過操作を行うことがある。水溶液の種類によっては、漏斗内の液面や、漏斗の下に配置された濾液を受けるビーカー内の液面から、環境上または健康上有害なガスが発生する。このような場合、局所排気装置を用いて、発生したガスを吸引し、作業環境への拡散を防止することが行われる。
【０００３】
従来の局所排気装置には、広範囲のガスを吸引するために、ラッパ状に広がった排気フードが用いられていた（例えば、特許文献１）。特に、複数の漏斗を一列に並べる場合のように、ガスの発生源が横に広がりを有する場合には、その全体を覆う大きな排気フードが用いられる。
【０００４】
しかし、このような排気フードは開口面積が大きいため、所望の制御風速を得るためには排気風量を多くする必要がある。また、多量のフリーエアーを吸引するので、排気効率が悪い。したがって、過剰な空気清浄装置や排風機を必要とし、設備コストや運転コストが高くなる。
【先行技術文献】
【特許文献】
【０００５】
【特許文献１】実開昭５６−０００９９９号公報
【発明の概要】
【発明が解決しようとする課題】
【０００６】
本発明は上記事情に鑑み、被吸引物の発生源が横に広がりを有する場合でも、排気風量を多くすることなく、所望の制御風速が得られる排気フードを提供することを目的とする。
【課題を解決するための手段】
【０００７】
第１発明の排気フードは、排気ダクトに接続される筒形の吸引箱を備え、前記吸引箱の側壁の一部は該吸引箱の軸方向に沿った帯状の吸引帯であり、前記吸引帯には長手方向に沿って所定間隔で複数の吸引口が形成されていることを特徴とする。
第２発明の排気フードは、第１発明において、前記吸引口と同間隔で複数の調節口が形成された風量調節板と、前記調節口と前記吸引口とが重なるように前記風量調節板を前記吸引帯に接触させるとともに、該風量調節板を該吸引帯に対してスライド可能に保持する保持部材と、を備えることを特徴とする。
第３発明の排気フードは、第２発明において、前記風量調節板は個別にスライド可能な複数の単位板からなることを特徴とする。
第４発明の排気フードは、第２または第３発明において、前記吸引口および前記調節口が円形であることを特徴とする。
第５発明の排気フードは、第１、第２、第３または第４発明において、前記吸引箱を軸が水平となるように支持するとともに、軸回りに回動可能に支持する支持台を備えることを特徴とする。
第６発明の排気フードは、第１、第２、第３または第４発明において、前記吸引箱を軸が水平となるように支持するとともに、高さ調節可能に支持する支持台を備えることを特徴とする。
【発明の効果】
【０００８】
第１発明によれば、被吸引物の発生源が横に広がりを有する場合でも、筒形の吸引箱に沿って発生源を配置することで、十分な排気が行える。また、複数の吸引口から吸引する構成であるので、単一の開口部から吸引する構成に比べて開口面積を小さくできる。そのため、排気風量を多くすることなく、所望の制御風速が得られる。
第２発明によれば、風量調節板をスライドさせることで吸引口の開度を調節でき、吸引風量を調節できる。
第３発明によれば、風量調節板が複数の単位板からなるので、単位板ごとに吸引風量を調節できる。
第４発明によれば、吸引口および調節口が円形であるので、吸引口の開度が小さい領域では、風量調節板のスライドに伴う吸引口の開度の変化率が小さく、吸引風量の微調整が行いやすい。
第５発明によれば、吸引箱を回動させることで、被吸引物の発生源の位置に合わせて吸引口の角度を調節できる。
第６発明によれば、被吸引物の発生源の高さに合わせて吸引口の高さを調節できる。
【図面の簡単な説明】
【０００９】
【図１】本発明の第１実施形態に係る排気フードの正面図である。
【図２】図１におけるII-II線矢視図である。
【図３】吸引箱の吸引帯を正面に見た図である。
【図４】図３におけるIV-IV線矢視断面図である。
【図５】（Ａ）図は吸引口の開度が小さい場合の吸引帯の部分拡大図である。（Ｂ）図は吸引口の開度が大きい場合の吸引帯の部分拡大図である。
【図６】支持台の正面図である。
【図７】支持台の側面図である。
【図８】本発明の第２実施形態における吸引箱の吸引帯を正面に見た図である。
【発明を実施するための形態】
【００１０】
つぎに、本発明の実施形態を図面に基づき説明する。
〔第１実施形態〕
図１および図２に示すように、本発明の第１実施形態に係る排気フード１は、排気ダクト１１１に接続される筒形の吸引箱１０と、吸引箱１０の両端部を支持する一対の支持台２０、２０とを備えている。支持台２０、２０は作業台１２０の上に置かれ、吸引箱１０を作業台１２０の上面から所定の高さにおいて、軸Ｏが水平となるように支持している。ここで、「水平」とは横に広がりを有する発生源から発生した被吸引物の吸引が可能な程度に略水平であればよく、厳密に水平である必要はない。
【００１１】
図１および図２に示す例では、被吸引物の発生源が漏斗１３１およびビーカー１３２である。水溶液の化学成分の定量分析などでは、作業効率を高めるために、作業台１２０の上に複数の漏斗１３１を一列に並べて、同時に複数の濾過操作を行うことがある。水溶液の種類によっては、漏斗１３１やビーカー１３２内の液面から有害なガスが発生する。排気フード１は漏斗１３１やビーカー１３２から発生したガスを吸引するために用いられる。
【００１２】
なお、「被吸引物」とは排気フード１で吸引される物質を意味し、ガスのほか、蒸気、粉塵などが挙げられる。また、被吸引物の発生源としては、漏斗１３１やビーカー１３２のほか、工業分野における反応装置や加熱装置、食品製造業や調理業における調理釜や火格子などが挙げられる。本実施形態の排気フード１は、複数の漏斗１３１を一列に並べる場合のように、被吸引物の発生源が横に広がりを有する場合に、被吸引物を吸引するのに好適に用いられる。
【００１３】
排気フード１は局所排気装置に好適に用いられる。一般に、局所排気装置は排気フード、排気ダクト、ガス洗浄塔などの空気清浄装置、排風機、排気筒などから構成される。排気フードから吸引されたガスは、排気ダクトを通って空気清浄装置に導入され無害化された後、排風機、排気筒を通って大気に放出される。なお、複数に分岐した排気ダクトを用いて、一の局所排気装置に複数の排気フードを設ける場合もある。
【００１４】
排気ダクト１１１にはダンパー１１２が設けられている。ダンパー１１２を操作することで、一の排気フード１から排気される全体の排気風量を調節できる。
【００１５】
図３および図４に示すように、吸引箱１０は全体として両端が閉塞された円筒形の部材である。吸引箱１０の左右中央部に排気ダクト１１１と接続する接続管１１が設けられている。吸引箱１０の側壁（軸Ｏ周りの壁面）は、軸Ｏ方向に沿った帯状の開口部を有する円筒部１２と、円筒部１２の開口部と同形状の板材であって、その開口部を閉塞するよう設けられた吸引帯１３とからなる。
【００１６】
円筒部１２として例えば塩化ビニル製のパイプを用いることができる。円筒部１２の寸法は特に限定されないが、例えば内径１００〜２００ｍｍ、長さ１,０００〜２,０００ｍｍである。吸引帯１３として例えば塩化ビニル製の板を用いることができる。吸引帯１３の寸法は特に限定されないが、例えば幅５０〜１００ｍｍである。吸引帯１３の長さは円筒部１２と同一である。
【００１７】
なお、吸引箱１０は筒形であればよく円筒形のほか角筒形でもよい。吸引帯１３は吸引箱１０の側壁を構成する他の部分と別部材である必要はない。一の部材で構成された吸引箱１０の側壁の一部を吸引帯１３と定めてもよい。吸引帯１３は平らであってもよいし、湾曲していてもよい。
【００１８】
吸引帯１３には長手方向に沿って所定間隔で複数の吸引口１３ｈが形成されている。各吸引口１３ｈは吸引帯１３の表裏を貫通する円形の孔である。複数の吸引口１３ｈはいずれも同寸法である。また、複数の吸引口１３ｈはそれらの中心が一直線上に並ぶように、等間隔で配置されている。吸引口１３ｈの寸法は特に限定されないが、例えば直径２０〜４０ｍｍである。また、吸引口１３ｈの間隔は特に限定されないが、中心間で５０〜１００ｍｍである。
【００１９】
吸引帯１３の外面には帯状の板材である風量調節板１４が設けられている。風量調節板１４は幅および長さが吸引帯１３よりも若干小さく設定されている。風量調節板１４には長手方向に沿って所定間隔で複数の調節口１４ｈが形成されている。各調節口１４ｈは風量調節板１４の表裏を貫通する円形の孔であり、吸引口１３ｈと略同寸法である。また、複数の調節口１４ｈはそれらの中心が一直線上に並ぶように、吸引口１３ｈと同間隔で配置されている。風量調節板１４として例えば塩化ビニル製の板を用いることができる。
【００２０】
吸引帯１３の長手方向に沿う両縁部（図４における上下の縁部）には風量調節板１４を保持する保持部材１５、１５が設けられている。各保持部材１５と吸引帯１３の縁部とにより、吸引帯１３の長手方向に沿い内側に開口した溝部が形成される。この溝部に風量調節板１４の長手方向に沿う両縁部（図４における上下の縁部）が嵌ることで、風量調節板１４が吸引帯１３と面接触するよう保持されている。また、風量調節板１４は吸引帯１３に対して長手方向（図３における左右方向）にスライド可能となっている。風量調節板１４の外面には摘み１６が設けられている。摘み１６を持って横にズラすことで、風量調節板１４をスライドできる。
【００２１】
風量調節板１４は調節口１４ｈと吸引口１３ｈとが重なるように配置されている。図５（Ａ）に示すように、調節口１４ｈと吸引口１３ｈとの重なりが小さい場合、吸引口１３ｈのほとんどが閉塞され、空気の通り道が狭くなる。図５（Ｂ）に示すように、風量調節板１４をスライドさせ、調節口１４ｈと吸引口１３ｈとの重なりを大きくすると、吸引口１３ｈのほとんどが開放され、空気の通り道が広くなる。
【００２２】
このように、風量調節板１４をスライドさせることで吸引口１３ｈの開度を調節できる。これにより吸引口１３ｈにおける吸引風量を調節できる。ここで、「開度」とは吸引口１３ｈの開口面積のうち、調節口１４ｈにより開放された面積の割合を意味する。また、「吸引風量」とは吸引口１３ｈを通る風量を意味する。吸引口１３ｈの開度を小さくすると吸引風量が少なくなり、吸引口１３ｈの開度を大きくすると吸引風量が多くなる。
【００２３】
複数の吸引口１３ｈおよび複数の調節口１４ｈはいずれも略同一寸法である。また、複数の吸引口１３ｈの間隔と複数の調節口１４ｈの間隔とは略同一である。そのため、風量調節板１４をスライドさせることで、全ての吸引口１３ｈの開度を同様に調節できる。
【００２４】
隣り合う吸引口１３ｈの間の距離を調節口１４ｈの横幅より長くすれば、隣り合う吸引口１３ｈの間に調節口１４ｈを配置できるので、吸引口１３ｈを全閉にできる。吸引口１３ｈを全閉にすれば、被吸引物を吸引しなくなるため、排気フード１としての機能を停止できる。
【００２５】
吸引口１３ｈおよび調節口１４ｈの形状は円形に限定されず、四角形や三角形など他の形状でもよい。本実施形態のように、吸引口１３ｈおよび調節口１４ｈを円形とすれば、吸引口１３ｈの開度が小さい領域（図５（Ａ）の状態）では、風量調節板１４のスライドに伴う吸引口１３ｈの開度の変化率が小さくなる。風量調節板１４をスライドさせても吸引口１３ｈの開度が急激に変化しない。そのため、吸引風量の微調整が行いやすい。
【００２６】
なお、複数の吸引口１３ｈの寸法は全て同一としなくてもよく、異なる寸法としてもよい。また、種々の形状の吸引口１３ｈを設けてもよい。複数の吸引口１３ｈの間隔は全て同一としなくてもよく、異なる距離としてもよい。調節口１４ｈの寸法、形状、間隔は、対応する吸引口１３ｈに合わせて設定すればよい。
【００２７】
本実施形態の排気フード１によれば、複数の漏斗１３１を一列に並べる場合のように、被吸引物の発生源が横に広がりを有する場合でも、筒形の吸引箱１０に沿って発生源を配置することで、十分な排気が行える。
【００２８】
複数の吸引口１３ｈから吸引する構成であるので、単一の開口部から吸引する構成に比べて開口面積を小さくできる。そのため、排気風量を多くすることなく、所望の制御風速が得られる。ここで、「制御風速」とは被吸引物を吸引する開口部における風速を意味する。また、開口面積が小さいことから、吸引箱１０で比較的大きな圧力損失が生じ、吸引箱１０が圧力ヘッダーとして機能する。そのため、全ての吸引口１３ｈにおける風速を略同一とすることができ、制御風速を吸引箱１０の軸Ｏ方向に沿ってほぼ均一にできる。
【００２９】
作業員の手元にある風量調節板１４をスライドさせることで、吸引口１３ｈの開度を調節できるため、吸引風量を調節しやすい。そのため、フリーエアーの吸引を抑えることができ、これによっても排気風量を低減できる。
【００３０】
一の局所排気装置に複数の排気フードが接続される場合、一の排気フードを通る排気風量が多くなると、他の排気フードの排気風量が低下することがある。本実施形態の排気フード１では排気風量の増加を抑えることができる。また、吸引箱１０が圧力ヘッダーとして機能する。そのため、他の排気フードへの影響を低減できる。
【００３１】
つぎに、支持台２０を説明する。
図６および図７に示すように、支持台２０は、基板２１と、基板２１に立設された立板２２と、立板２２に取り付けられた支持部材２３とからなる。支持部材２３は帯状の基部２３ａと、基部２３ａの両端部から突出した一対の舌片２３ｂ、２３ｂとからなる。支持部材２３は立板２２に形成されたネジ穴２４に、基部２３ａを通されたボルト２５をねじ込むことで、立板２２に取り付けられている。
【００３２】
一対の舌片２３ｂ、２３ｂの間隔は吸引箱１０の直径よりも狭く設定されている。吸引箱１０はその端部が一対の舌片２３ｂ、２３ｂの間に嵌め込まれることで支持台２０に支持される。
【００３３】
吸引箱１０が円筒形であることから、吸引箱１０を軸Ｏ回り（図７における矢印方向）に回動させることが可能である。吸引箱１０を回動させることで、被吸引物の発生源の位置に合わせて吸引口１３ｈの角度を調節できる。なお、吸引箱１０の回動を容易にするために、排気ダクト１１１としてフレキシブルホースを用いることが好ましい。
【００３４】
立板２２にはネジ穴２４が縦方向に複数形成されている。ボルト２５をねじ込むネジ穴２４を選択することで、支持部材２３の高さを調節できる。支持部材２３の高さを調節することで、吸引箱１０の高さを調節することが可能である。これにより、被吸引物の発生源の高さに合わせて吸引口１３ｈの高さを調節できる。
【００３５】
風量調節板１４をスライドさせて吸引口１３ｈの開度を小さくすると、吸引口１３ｈにおける吸引風量が低下する。このような場合に、吸引口１３ｈの角度および高さを調節して、吸引口１３ｈを被吸引物の発生源に近づければ、被吸引物が吸引されやすくなる。
【００３６】
〔第２実施形態〕
図８に示すように、風量調節板１４を長手方向に分割し、２つの単位板１４ａ、１４ｂからなる構成としてもよい。単位板１４ａ、１４ｂの間には隙間が設けられており、各単位板１４ａ、１４ｂが個別にスライド可能となっている。各単位板１４ａ、１４ｂには摘み１６が設けられている。なお、風量調節板１４をより複数に分割し、３つ以上の単位板からなる構成としてもよい。
【００３７】
本実施形態によれば、風量調節板１４が複数の単位板１４ａ、１４ｂからなるので、単位板１４ａ、１４ｂごとに吸引風量を調節できる。したがって、吸引箱１０の軸Ｏ方向の位置によって吸引風量を変えることができる。また、一部の単位板１４ａにより吸引口１３ｈを全閉にすれば、他の単位板１４ｂの領域における制御風速をより速くできる。
【００３８】
〔その他の実施形態〕
前記実施形態では風量調節板１４は長手方向にスライドする構成であるが、スライドする方向はこれに限定されない。例えば、風量調節板１４を吸引箱１０の周方向にスライドするよう構成してもよい。また、風量調節板１４を吸引帯１３の外面側ではなく、内面側に設けてもよい。
【００３９】
排気ダクト１１１と接続する接続管１１の位置は吸引箱１０の左右中央部が好ましい。より詳細には、接続管１１を境に左右に存在する吸引口１３ｈの数が同数となる位置が好ましい。そうすれば、各吸引口１３ｈにおける吸引風量を略同一にできるとともに、制御風速を吸引箱１０の軸Ｏ方向に沿ってほぼ均一にできる。
【００４０】
接続管１１の数は特に限定されず、複数でもよい。接続管１１を２本とする場合、一方の接続管１１を吸引箱１０の一端から１／４の位置、他方の接続管１１を吸引箱１０の他端から１／４の位置とすることが好ましい。そうすれば、各吸引口１３ｈにおける吸引風量を略同一にできるとともに、制御風速を吸引箱１０の軸Ｏ方向に沿ってほぼ均一にできる。
【符号の説明】
【００４１】
１      排気フード
１０    吸引箱
１１    接続管
１２    円筒部
１３    吸引帯
１３ｈ  吸引口
１４    風量調節板
１４ｈ  調節口
１５    保持部材
２０    支持台
【図１】
2018119767.tif 000003
【図２】
2018119767.tif 000004
【図３】
2018119767.tif 000005
【図４】
2018119767.tif 000006
【図５】
2018119767.tif 000007
【図６】
2018119767.tif 000008
【図７】
2018119767.tif 000009
【図８】
2018119767.tif 000010